(57)【要約】【課題】復帰操作時の作動性を向上させ、釣糸巻き取り位置への誤復帰を好適に防止する。【解決手段】基部材２ｂに設けられた操作部材の操作によって回動し、釣糸巻き取り位置と釣糸放出位置とに切り換えられる切換手段２０と、基部材２ｂと切換手段２０との間に設けられ、切換手段２０を釣糸巻き取り位置と釣糸放出位置とにそれぞれ付勢力をもって振り分ける付勢手段２８と、ハンドル操作に連動して釣糸放出位置にある切換手段２０を釣糸巻き取り位置に復帰可能とする復帰手段と、を備え、釣糸放出位置の付勢手段の一端部分に係脱可能に係止される係止手段２０ａを、基部材２ｂまたは切換手段２０のいずれか一方に設けたことを特徴とする。【選択図】図２
2008245566.tif 000002
【特許請求の範囲】
【請求項１】
基部材に設けられた操作部材の操作によって回動し、釣糸巻き取り位置と釣糸放出位置とに切り換えられる切換手段と、
前記基部材と前記切換手段との間に設けられ、前記切換手段を釣糸巻き取り位置と釣糸放出位置とにそれぞれ付勢力をもって振り分ける付勢手段と、
ハンドル操作に連動して釣糸放出位置にある前記切換手段を釣糸巻き取り位置に復帰可能とする復帰手段と、を備え、
釣糸放出位置の前記付勢手段の一端部分に係脱可能に係止される係止手段を、前記基部材または前記切換手段のいずれか一方に設けたことを特徴とする魚釣用リール。
【請求項２】
前記魚釣用リールは、巻き取り駆動機構の駆動力を伝達許容状態と伝達不可状態とに切り換えるクラッチ機構を備えた両軸受けリールであり、
前記基部材がリール本体であるとともに、前記切換手段が、前記クラッチ機構の釣糸巻き取り位置となるクラッチオン位置と、釣糸放出位置となるクラッチオフ位置とに切り換える作動部材であることを特徴とする請求項１に記載の魚釣用リール。
【請求項３】
前記魚釣用リールは、ハンドル操作に連動回転するロータに支持腕が設けられたスピニングリールであり、
前記基部材が前記支持腕であるとともに、
前記切換手段が前記支持腕の前部に揺動可能に設けられて釣糸巻き取り位置と釣糸放出位置とに切り換えられる、前記操作部材としてのベールを有する支持部材であることを特徴とする請求項１に記載の魚釣用リール。
【請求項４】
前記係止手段は、前記付勢部材の一端部分が係止可能な凹部であることを特徴とする請求項１から請求項３のいずれか１項に記載の魚釣用リール。
【発明の詳細な説明】
【技術分野】
【０００１】
本発明は、魚釣用リールに関する。
【背景技術】
【０００２】
従来の一般的な魚釣用リールとして両軸受けリールについて説明すると、両軸受けリールは、リ−ル本体に回転自在に支持されたスプ−ルを巻き取り駆動可能とする動力伝達許容状態のクラッチオン位置と、スプールをフリー状態とする動力伝達不可状態のクラッチオフ位置とに切り換えるクラッチ機構を備えている。また、ハンドルの回転操作によって、クラッチオフ位置からクラッチオン位置に復帰させる復帰機構を備えている。
【０００３】
クラッチ機構は、通常、振り分け用のばね部材を備えており、このばね部材の付勢力によってクラッチオン位置（釣糸巻き取り時）とクラッチオフ位置（釣糸放出時）とに、それぞれ振り分け保持されるようになっている。そして、キャスティング操作時には、クラッチオフ位置に操作して釣糸の放出を行うが、釣竿をスイングさせる勢い等によって、不意にハンドルが回転することがあった。そのようなハンドルの回転を生じると、復帰機構が機能してクラッチ機構が釣糸巻き取り時のクラッチオン位置に誤復帰してしまう虞があった。
【０００４】
また、従来の一般的な魚釣リールとしてのスピニングリールにおいても、同様に、誤復帰してしまう虞があった。スピニングリールでは、ベールを有する支持部材が、ばね部材の付勢力によって釣糸巻き取り位置と釣糸放出位置とにそれぞれ振り分け保持されるように構成されているが、キャスティング操作時の釣竿をスイングさせる勢い等によって、不意にハンドルが回転することがあり、この場合にも、復帰機構が機能して釣糸巻き取り位置に誤復帰する虞があった。
【０００５】
そこで従来では、ばね部材の支持端部の支持位置が変位可能となるように構成することで、ばね部材による付勢力に変化をもたせ、誤復帰し難くするようにした技術が開示されている（例えば、特許文献１，２参照）。
【特許文献１】特許第３４８３７８４号公報
【特許文献２】特開２０００−２８１８７３号公報
【発明の開示】
【発明が解決しようとする課題】
【０００６】
しかしながら、前記した特許文献１，２の魚釣用リールでは、ばね部材の支持端部が長孔内に支持されて、この長孔内を移動（変位）することで付勢力に変化をもたせる構成であるため、ばね部材の振り分けが行われる振り分け境界位置から、ばね部材の支持端部が遊動する状態となり、その遊動によって切り換え操作時にタイムラグが生じていた。このため、復帰操作に対応した鋭敏な操作感が得られず、復帰操作時の作動性に劣っていた。また、ばね部材の支持端部が長孔内を変位することで付勢力に変化をもたせる構成であるため、変位がうまくいかないときには、誤復帰する虞もあった。
【０００７】
本発明は、前記課題を解決するためになされたものであり、復帰操作時の作動性を向上させることができるとともに、釣糸巻き取り位置への誤復帰を好適に防止することができる魚釣用リールを提供することを課題とする。
【課題を解決するための手段】
【０００８】
このような課題を解決する本発明の魚釣用リールは、基部材に設けられた操作部材の操作によって回動し、釣糸巻き取り位置と釣糸放出位置とに切り換えられる切換手段と、前記基部材と前記切換手段との間に設けられ、前記切換手段を釣糸巻き取り位置と釣糸放出位置とにそれぞれ付勢力をもって振り分ける付勢手段と、ハンドル操作に連動して釣糸放出位置にある前記切換手段を釣糸巻き取り位置に復帰可能とする復帰手段と、を備え、釣糸放出位置の前記付勢手段の一端部分に係脱可能に係止される係止手段を、前記基部材または前記切換手段のいずれか一方に設けたことを特徴とするものであり、両軸受けリールおよびスピニングリールのいずれの魚釣用リールにも適用することができるものである。
【０００９】
この魚釣用リールによれば、基部材または切換手段のいずれか一方に、釣糸放出位置の付勢手段の一端部分に係脱可能に係止される係止手段が設けられているので、基部材に設けられた操作部材を操作して、切換手段を釣糸巻き取り位置から釣糸放出位置に回動させると、付勢手段によって切換手段が釣糸放出位置に付勢力をもって振り分けられ、これとともに、付勢手段の一端部分に係止手段が係止されることとなる。これによって、釣糸放出位置にある切換手段に対して、これを釣糸放出位置に保持する力が付勢手段の係止によって付加されることとなり、切換手段が釣糸放出位置に振り分け保持されることと相俟って、切換手段が釣糸放出位置に好適に保持される。
したがって、キャスティング操作時の釣竿をスイングさせる勢い等によって、不意にハンドルが回転することがあっても、切換手段が釣糸巻き取り位置に誤復帰することを好適に防止することができる。
【００１０】
しかも、付勢手段の一端部分が係止手段に係脱可能とされた構成であるので、従来のように変位を伴って付勢力に変化をもたせるときのような誤復帰を生じ難く、切換手段を釣糸放出位置に好適に保持することができる。また、付勢手段の一端部分が係止手段に係脱される構成であるので、切り換え操作時に従来のような遊動を生じることがなく、復帰操作に対応した鋭敏な操作感が得られ、復帰操作時の作動性がよい。
【００１１】
また、本発明の魚釣用リールが、巻き取り駆動機構の動力伝達を伝達許容状態と伝達不可状態とに切り換えるクラッチ機構を備えた両軸受けリールであるときには、前記基部材がリール本体であるとともに、前記切換手段が、前記クラッチ機構の釣糸巻き取り位置となるクラッチオン位置と、釣糸放出位置となるクラッチオフ位置とに切り換える作動部材である構成とするのがよい。
【００１２】
このような魚釣用リールによれば、両軸受けリールにおいて、リール本体または作動部材のいずれか一方に、釣糸放出位置の付勢手段の一端部分に係脱可能に係止される係止手段が設けられることとなり、係止手段によって作動部材が釣糸放出位置に好適に保持されるようになる。
【００１３】
また、本発明の魚釣用リールが、ハンドル操作に連動回転するロータに支持腕が設けられたスピニングリールであるときには、前記基部材が前記支持腕であるとともに、前記切換手段が前記支持腕の前部に揺動可能に設けられて釣糸巻き取り位置と釣糸放出位置とに切り換えられる、前記操作部材としてのベールを有する支持部材である構成とするのがよい。
【００１４】
このような魚釣用リールによれば、スピニングリールにおいて、支持腕または支持部材のいずれか一方に、釣糸放出位置の付勢手段の一端部分に係脱可能に係止される係止手段が設けられることとなり、係止手段によって支持部材が釣糸放出位置に好適に保持されるようになる。
【００１５】
また、係止手段は、前記付勢部材の一端部分が係止可能な凹部である構成とするのがよい。このような魚釣用リールによれば、凹部に付勢部材の一端部分が係止するという簡単な構造で切換手段（作動部材、支持部材）を釣糸放出位置に好適に保持することができる。また、例えば、凹部の深さを適宜設定することによって、付勢部材の一端部分と凹部との係止による保持力を容易に設定することができる。
【発明の効果】
【００１６】
本発明によれば、復帰操作時の作動性を向上させることができるとともに、釣糸巻き取り位置への誤復帰を好適に防止することができる魚釣用リールが得られる。
【発明を実施するための最良の形態】
【００１７】
以下、本発明に係る魚釣用リールの実施の形態について図面を参照しながら説明する。
（第１実施形態）
参照する図面において、図１は本発明の第１実施形態に係る魚釣用リールとしての両軸受けリールの全体構成を示す図、図２（ａ）はクラッチオン状態とされたときの様子を示す図、図２（ｂ）は図２（ａ）のｂ部分の拡大図、図２（ｃ）は図２（ｂ）を背面側から見た図、図２（ｄ）は図２（ｂ）のｄ−ｄ線に沿う断面図である。また、図３（ａ）はクラッチオフ状態とされたときの様子を示す図、図３（ｂ）は図３（ａ）のｂ１部分の拡大図、図３（ｃ）は図３（ｂ）を背面側から見た図、図３（ｄ）は図３（ｂ）のｄ１−ｄ１線に沿う断面図である。
なお、以下の説明において、「前、後」「左、右」「上、下」は、両軸受けリールを釣竿Ｒに取り付けた状態を基準とする。
【００１８】
図１に示すように、両軸受けリールのリール本体１は、左右フレーム２ａ，２ｂと、これら左右フレーム２ａ，２ｂに所定の空間をもって夫々シール材を介して装着される側面視で円形状の左右側板３ａ，３ｂと、を備えている。左右フレーム２ａ，２ｂは、複数の支柱を介して一体化されており、下方の支柱には、釣竿Ｒの図示しないリールシートに装着されるリール脚２ｃ（図２（ａ）参照）が設けられている。
【００１９】
左右フレーム２ａ，２ｂ（左右側板３ａ，３ｂ）間には、スプール軸５が軸受６を介して回転可能に支持されており、このスプール軸５には、釣糸が巻回されるスプール５ａが取り付けられている。
【００２０】
右フレーム２ｂと右側板３ｂには、図示しない軸受を介してハンドル軸７が回転可能に支持されており、その端部には、ハンドル７ａが装着されている。これにより、スプール５ａは、ハンドル７ａを回転操作することによって、駆動力伝達機構１０を介して回転駆動される。なお、ハンドル軸７は、右側板３ｂとの間に介在された公知の転がり式の一方向クラッチ１１（逆転防止機構）によって、釣糸巻取方向にのみ回転可能となっている。
【００２１】
また、右フレーム２ｂと右側板３ｂとの間には、駆動力伝達機構１０の駆動力の伝達を継脱するクラッチ機構１２と、魚釣時にスプール５ａから釣糸が繰り出された際、スプール５ａにドラグ力を付与する公知のドラグ機構（不図示）が収容されている。
【００２２】
駆動力伝達機構１０は、ハンドル軸７に回転可能に支持された駆動歯車１３と、この駆動歯車１３に噛合するピニオン１４とを備えている。ピニオン１４は、前記スプール軸５と同軸上に延出し、右側板３ｂに軸受を介して回転可能に支持されたピニオン軸５ｂに設けられており、このピニオン軸５ｂに沿って軸方向に移動可能となっている。
また、ピニオン１４の端部には、図示しない嵌合部が形成されており、ピニオン１４が、以下に説明するクラッチ機構１２の後記する可動部材２２によってスプール５ａ側に移動され、嵌合部がスプール軸５の端部に形成されている断面非円形の係合部に嵌合することで駆動力の伝達許容状態（クラッチオン）となり、ピニオン１４が可動部材２２によって右側板３ｂ側に移動され、嵌合部がスプール軸５の端部の係合部から外れることで駆動力の伝達不可状態（クラッチオフ）となる。なお、ピニオン１４は、その外周に形成された円周溝が可動部材２２に係合して、スプール軸５の軸方向に移動可能となっている。
【００２３】
クラッチ機構１２は、図２（ａ）に示すように、右フレーム２ｂに沿って操作レバー２１（操作部材）の操作により回動される所定の角度に、回動可能に配設されたクラッチ作動板２０（作動部材）を備えている。そして、クラッチ機構１２は、リール本体１の後部から突出した操作レバー２１を下方に押圧操作することで回動駆動されるようになっている。
【００２４】
クラッチ作動板２０は、操作レバー２１の操作により、図２（ａ）において矢印Ｄ１，Ｄ２方向に駆動されるようになっており、その表面には、ピニオン１４の円周溝１４ａに嵌合した可動部材２２と係合可能な一対のカム面２３，２３が形成されている。
可動部材２２は、ピニオン１４の円周溝１４ａに略１８０°に亘って嵌合するとともに、ピニオン１４を中心として直径方向に延出する一対の腕部２２ａ，２２ａを有しており、各腕部２２ａ，２２ａの裏面にカム面２３，２３がそれぞれ係合するようになっている。また、各腕部２２ａ，２２ａの先端側は、右フレーム２ｂに突設された支持ピン２５によって保持されており、可動部材２２は、各支持ピン２５に配設されたばね部材（不図示）によって、常時、クラッチ作動板２０側に付勢された状態となっている。なお、図２（ａ）は、可動部材２２が、ばね部材（不図示）によってクラッチ作動板２０側に付勢された状態を示しており、このとき、ピニオン１４はスプール軸５の端部に形成されている係合部に嵌合してクラッチオン状態となっている。
【００２５】
また、クラッチ作動板２０には、右フレーム２ｂに突設されたボス２６が係合する円弧溝２７が形成されるとともに、右フレーム２ｂ（リール本体１）との間で付勢手段としての振り分け保持ばね２８が設けられている。このようなクラッチ作動板２０は、操作レバー２１を操作することで、クラッチオン位置（釣糸巻き取り位置、図２（ａ）参照）と、クラッチオフ位置（釣糸放出位置、図３（ａ）参照）との間で、位置決めされ、振分け保持されるようになっている。
【００２６】
本実施形態では、図２（ｂ）（ｃ）に示すように、クラッチ作動板２０に、クラッチオフ位置の振り分け保持ばね２８の一端部分２８ａが係脱可能に係止される凹部２０ａ（係止手段）が設けられている。この凹部２０ａは、振り分け保持ばね２８の一端のボス２８Ａが挿通支持される、支持孔２０Ａの口縁に直交するようにして形成されている。
ここで、振り分け保持ばね２８は、ねじりばねであり、クラッチ作動板２０に形成された支持孔２０Ａに一端のボス２８Ａが挿通されて配置され、右フレーム２ｂに形成された支持穴２Ｂに他端のボス２８Ｂが挿入されて配置されることで、クラッチ作動板２０と右フレーム２ｂとの間に設けられている。
そして、振り分け保持ばね２８は、そのクラッチ作動板２０側の一端部分２８ａが、後記するクラッチ作動板２０の釣糸放出位置において、凹部２０ａに係止されるように構成されている。つまり、図２（ｂ）（ｃ）に示すように、クラッチ作動板２０が釣糸巻き取り位置にある状態では、振り分け保持ばね２８の一端部分２８ａの軸線方向が、凹部２０ａの溝の長手方向から外れた位置（凹部２０ａに隣接する周部位置）にあり、振り分け保持ばね２８の一端部分２８ａが凹部２０ａに係止されることがない。
一方、図３（ａ）〜（ｄ）に示すように、クラッチ作動板２０が釣糸放出位置に回動された状態では、凹部２０ａの溝の長手方向と振り分け保持ばね２８の一端部分２８ａの軸線方向とが一致する位置関係（図３（ｃ）参照）となり、これによって、振り分け保持ばね２８の一端部分２８ａが凹部２０ａに入り込んで係止されるようになっている。本実施形態では、凹部２０ａの溝深さをばね径よりも小さくしてある（図３（ｃ）参照）。
【００２７】
また、振り分け保持ばね２８は、図２（ｄ）に示すように、クラッチ作動板２０に支持される側がコイル巻き部から一端部分２８ａへ向けて傾斜状に形成されており、その結果、クラッチ作動板２０に支持される一端側が、凹部２０ａの形成される側（下面側）にもぐり込むようにして挿入されて、そのボス２８Ａがクラッチ作動板２０の支持孔２０Ａを通じて反対側（上面側）へ挿通される構成であるので、一端部分２８ａは、クラッチ作動板２０側へ付勢されて押圧状態とされる。これによって、図３（ａ）〜（ｄ）に示すように、クラッチ作動板２０が釣糸放出位置に回動されると、振り分け保持ばね２８の一端部分２８ａが、その付勢力により凹部２０ａに容易に入り込むようになっている（図３（ｂ）〜（ｃ）参照）。
【００２８】
前記したクラッチ機構１２には、クラッチオフ状態において、ハンドル７ａを巻き取り操作した際に、自動的にクラッチ作動板２０をクラッチオン位置に復帰させる復帰機構が設けられている。
この復帰機構は、図２（ａ）、図３（ａ）に示すように、クラッチ作動板２０に対して回動可能に支持されたキックプレート３０と、このキックプレート３０と右フレーム２ｂとの間に設けられ、キックプレート３０を所定の位置で保持するばね部材３１とを備えて構成されている。
このキックプレート３０には、第１当接部３０ａと第２当接部３０ｂが形成されており、これらはそれぞれ、クラッチ作動板２０に形成された第１当て付け部２４，第２当て付け部２４ａと、ハンドル軸７に回り止め固定され、外周に爪歯３２ａが形成されたラチェット３２に係合可能となっている。
【００２９】
この場合、クラッチオン位置では、第１当て付け部２４がキックプレート３０の第１当接部３０ａに当接しており、この状態で操作レバー２１を下方に押圧操作すると、図２（ａ）において、Ｄ１方向にクラッチ作動板２０が回動し、キックプレート３０は、支持ピン２５を中心に反時計方向に回動される。このとき第１当接部３０ａの第１当て付け部２４による規制が解除されるため、キックプレート３０の第２当接部３０ｂは、ばね部材３１の付勢力により、ラチェット３２の爪歯３２ａの回転軌跡内に位置するようになっている（図３（ａ）参照）。
【００３０】
そして、図３（ａ）に示すクラッチオフ位置からハンドル７ａを巻き取り操作すると、ハンドル軸７を介してラチェット３２が時計回り方向に回転駆動され、キックプレート３０は、回転する爪歯３２ａ、第２当接部３０ｂおよびばね部材３１の付勢力に抗して、支持ピン２５を中心に反時計方向に回動される。このとき、キックプレート３０の第１当接部３０ａは、クラッチ作動板２０の第２当て付け部２４ａに当接してクラッチ作動板２０をＤ２方向に回動させ、振り分け保持ばね２８の死点（デッドポイント）を越えることによって、クラッチ作動板２０がクラッチオン位置（図２（ａ）参照）に自動復帰され、付勢力をもって保持される。
【００３１】
次に、以上のように構成された両軸受けリールの作用について説明する。
図示しない仕掛けを投擲する（釣糸を放出する）場合、図２（ａ）に示したクラッチオン位置から操作レバー２１を下方へ押圧操作することで、クラッチオフ位置（図３（ａ）参照）に切り換え、スプール５ａをフリー回転可能な状態にする。そうすると、振り分け保持ばね２８によってクラッチ作動板２０が釣糸放出位置に付勢力をもって振り分けられ、これとともに、図３（ｂ）〜（ｄ）に示すように、振り分け保持ばね２８の一端部分２８ａがクラッチ作動板２０の凹部２０ａに係止される。
【００３２】
これによって、釣糸放出位置にあるクラッチ作動板２０に対して、これを釣糸放出位置に保持する力が振り分け保持ばね２８の一端部分２８ａの係止によって付加されることとなり、クラッチ作動板２０が釣糸放出位置に振り分け保持されることと相俟って、クラッチ作動板２０が釣糸放出位置に好適に保持される。
【００３３】
したがって、仕掛けを投擲すべく図示しない釣竿Ｒを振り下ろした際等に、瞬時に作用する慣性力によってハンドル７ａが回転し、復帰機構の前記作用によってクラッチ作動板２０が釣糸巻き取り位置に誤復帰しようとしても、そのクラッチ作動板２０の図３（ａ）〜（ｄ）におけるＤ２方向の回動が前記凹部２０ａへの振り分け保持ばね２８の一端部分２８ａの係止によって付加された保持力によって好適に阻止されることとなり、クラッチ作動板２０が釣糸放出位置に好適に保持されることとなる。
これによって、クラッチ作動板２０が釣糸巻き取り位置に誤復帰することが好適に防止される。
【００３４】
なお、ハンドル７ａを巻き取り方向に回動操作することによって復帰機構を作動させると、クラッチ作動板２０の凹部２０ａに係止されていた振り分け保持ばね２８の一端部分２８ａが凹部２０ａから外部に脱し、振り分け保持ばね２８と凹部２０ａとの係止状態が解除される。これによって、クラッチ作動板２０が釣糸放出位置から釣糸巻き取り位置に振り分け保持ばね２８によって振り分けられることとなり、自動的に復帰されることとなる。
【００３５】
以上説明した本実施形態の両軸受けリールによれば、クラッチ作動板２０に、釣糸放出位置の振り分け保持ばね２８の一端部分２８ａが係脱可能に係止される凹部２０ａが設けられているので、クラッチ作動板２０が釣糸放出位置に振り分けられて一端部分２８ａが凹部２０ａに係止されると、釣糸放出位置にあるクラッチ作動板２０に対して、これを釣糸放出位置に保持する力が付加されることとなり、振り分け保持ばね２８による付勢力と相俟って、クラッチ作動板２０は、釣糸放出位置に好適に保持される。
したがって、キャスティング操作時の釣竿Ｒをスイングさせる勢い等によって、不意にハンドル７ａが回転することがあっても、クラッチ作動板２０が釣糸巻き取り位置に誤復帰することを好適に防止することができる。
【００３６】
しかも、振り分け保持ばね２８の一端部分２８ａが凹部２０ａに係脱可能とされた構成であるので、従来のように変位を伴って付勢力に変化をもたせるときのような誤復帰を生じ難く、クラッチ作動板２０を釣糸放出位置に好適に保持することができる。また、振り分け保持ばね２８の一端部分２８ａが凹部２０ａに係脱される構成であるので、切り換え操作時に従来のような遊動を生じることがなく、復帰操作に対応した鋭敏な操作感が得られ、復帰操作時の作動性がよい。
【００３７】
また、凹部２０ａに振り分け保持ばね２８の一端部分２８ａが係止するという簡単な構造でクラッチ作動板２０を釣糸放出位置に好適に保持することができる。また、例えば、凹部２０ａの深さを適宜設定することによって、振り分け保持ばね２８の一端部分２８ａと凹部２０ａとの係止による保持力を容易に設定することができる。
【００３８】
図４は本実施形態に係る魚釣用リールとしての両軸受けリールの変形例を示す図であり、（ａ）はクラッチオン状態における振り分け保持ばねの様子を示す図、（ｂ）は図４（ａ）のｂ２−ｂ２線に沿う断面図、（ｃ）はクラッチオフ状態における振り分け保持ばねの様子を示す図、（ｄ）は図４（ｃ）のｂ３−ｂ３線に沿う断面図である。この例では、右フレーム２ｂ（リール本体１）側に係脱可能な係止手段としての凹部２０１を設け、この凹部２０１にクラッチオフ位置の振り分け保持ばね２８の他端部分２８ｂが係脱可能に係止されるように構成してある。
【００３９】
凹部２０１は、右フレーム２ｂに突設された円筒状突起２０２の端面に形成されており、その形成位置は、クラッチ作動板２０の釣糸放出位置において、振り分け保持ばね２８の他端部分２８ｂが係止される位置となっている。つまり、図４（ａ）（ｂ）に示すように、クラッチ作動板２０が釣糸巻き取り位置にある状態では、振り分け保持ばね２８の他端部分２８ｂの軸線方向が、凹部２０１の溝の長手方向から外れた位置（凹部２０１に隣接する周部位置）にあり、振り分け保持ばね２８の他端部分２８ｂが凹部２０１に係止されることがない。
一方、図４（ｃ）（ｄ）に示すように、クラッチ作動板２０が釣糸放出位置に回動された状態では、凹部２０１の溝の長手方向と振り分け保持ばね２８の他端部分２８ｂの軸線方向とが一致する位置関係となり、これによって、振り分け保持ばね２８の他端部分２８ｂが凹部２０１に入り込んで係止されるようになっている。この例では、凹部２０１の溝深さをばね径と略同等としたが適宜設定することができる。
【００４０】
このような構成においても、クラッチ作動板２０が釣糸放出位置に振り分けられて振り分け保持ばね２８の他端部分２８ｂが凹部２０１に係止されると、釣糸放出位置にあるクラッチ作動板２０に対して、これを釣糸放出位置に保持する力が付加されることとなり、振り分け保持ばね２８による付勢力と相俟って、クラッチ作動板２０は、釣糸放出位置に好適に保持される。
したがって、キャスティング操作時の釣竿Ｒをスイングさせる勢い等によって、不意にハンドル７ａ（図１参照）が回転することがあっても、クラッチ作動板２０が釣糸巻き取り位置に誤復帰することを好適に防止することができる。
【００４１】
図５は本発明の第２実施形態に係る魚釣用リールとしてのスピニングリールの全体構成を示す図、図６（ａ）は釣糸巻き取り位置の支持腕の様子を示した断面図、図６（ｂ）は釣糸放出位置の支持腕の様子を示した断面図、図６（ｃ）は係止の様子を示す断面図である。なお、以下の説明において、同様の部分には同様の符号を付してその詳細な説明を省略する。
本実施形態では、支持腕４１ｂとベール４１ｆを有する支持部材４１ｄとの間に、振り分け保持ばね２８が設けられており、釣糸放出位置の振り分け保持ばね２８の一端部分２８ａに係脱可能に係止される係止手段としての凹部４７が支持部材４１ｄに設けられた構成となっている。
【００４２】
図５に示すように、主として、スピニングリールは、図示しない釣竿に装着するための脚部４０Ａが形成されたリール本体４０と、リール本体４０の前方に回転可能に設けられたロータ４１と、このロータ４１の回転運動と同期して前後方向移動可能に設けられたスプール４２とを有して構成される。
【００４３】
リール本体４０には、図示しない軸受を介してハンドル軸４３が回転可能に支持されており、その突出端部には、巻き取り操作されるハンドル４４が取り付けられている。ハンドル軸４３には、ロータ４１を巻き取り駆動するための内歯が形成されたドライブギヤ（不図示）が、ハンドル軸４３と直交する方向に延出する回転軸（不図示）に噛合している。なお、回転軸には、先端側にスプール４２を取り付け、オシレーティング機構に係合したスプール軸（不図示）が、軸方向に移動可能に挿通されて、支持されている。
【００４４】
ロータ４１は、スプール４２のスカート部４２ａ内に位置する円筒部４１ａと、一対の支持腕４１ｂ，４１ｃ（支持腕４１ｂのみ図示、以下同じ）を具備している。各支持腕４１ｂ，４１ｃの前端部には、支持部材４１ｄ，４１ｅ（支持部材４１ｄのみ図示、以下同じ）が釣糸巻き取り位置と釣糸放出位置との間で回動自在に支持されており、これらの支持部材４１ｄ，４１ｅ間には、放出状態にある釣糸をピックアップするベール４１ｆが配設されている。ベール４１ｆは、一方の基端部が支持部材４１ｄに一体的に設けられた釣糸案内部４１ｇに取り付けられており、他方の基端部が支持部材４１ｅに取り付けられている。
ロータ４１の内側には、図示しない公知の復帰機構が設けられており、この復帰機構は、支持部材４１ｄ，４１ｅが釣糸放出位置にされた状態でハンドル４４を巻き取り操作した際に、自動的に支持部材４１ｄ，４１ｅを釣糸巻き取り位置に復帰させるようになっている。
【００４５】
スプール４２は、スカート部４２ａとフランジ４２ｂとの間に図示しない釣糸が巻回される胴部４２ｃを備えており、スプール軸に図示しないドラグ機構を介して摩擦結合され、ノブ４２ｄを回動操作することでスプール４２のドラグ力が調節される。
【００４６】
そして、支持部材４１ｄ，４１ｅは、支持腕４１ｂに設けられた振り分け保持ばね２８によって、釣糸巻き取り位置（図６（ａ）参照）または釣糸放出位置（図６（ｂ）参照）に保持される。
ここで、支持部材４１ｄは、図６（ａ）に示すように、回転軸を形成する取付ピン４５を中心として回動して、釣糸巻き取り位置（図６（ａ）参照）または釣糸放出位置（図６（ｂ）参照）に保持されるようになっており、取付ピン４５から偏心した位置に振り分け保持ばね２８の一端のボス２８Ａが挿通支持される支持孔４６が形成されている。
【００４７】
そして、支持部材４１ｄには、この支持孔４６の口縁に直交するようにして係止手段としての凹部４７が形成されており、この凹部４７には、振り分け保持ばね２８の一端部分２８ａが、支持部材４１ｄの釣糸放出位置において、前記実施形態と同様にして係止されるように構成されている。つまり、図６（ａ）に示すように、支持部材４１ｄが釣糸巻き取り位置にある状態では、振り分け保持ばね２８の一端部分２８ａの軸線方向が、凹部４７の溝の長手方向から外れた位置（凹部４７に隣接する周部位置）にあり、振り分け保持ばね２８の一端部分２８ａが凹部４７に係止されることがない。
一方、図６（ｂ）に示すように、支持部材４１ｄが釣糸放出位置に回動された状態では、凹部４７の溝の長手方向と振り分け保持ばね２８の一端部分２８ａの軸線方向とが一致する位置関係となり、これによって、振り分け保持ばね２８の一端部分２８ａが凹部４７に入り込んで係止されるようになっている（図６（ｃ）参照）。ここでは、凹部４７の溝深さをばね径よりも小さくしてある（図６（ｃ）参照）。なお、振り分け保持ばね２８の他端のボス２８Ｂは、支持腕４１ｂに形成された支持穴４１ｂ１に挿通されて配置されている。
【００４８】
次に、以上のように構成されたスピニングリールの作用について説明する。
図示しない仕掛けを投擲する（釣糸を放出する）場合、図６（ａ）に示した釣糸巻き取り位置から図６（ｂ）に示した釣糸放出位置にベール４１ｆおよび支持部材４１ｄ，４１ｅを回動操作し、ロータ４１をフリー回転可能な状態にする。そうすると、振り分け保持ばね２８によって支持部材４１ｄが釣糸放出位置に付勢力をもって振り分けられ、これとともに、図６（ｂ）（ｃ）に示すように、振り分け保持ばね２８の一端部分２８ａが支持部材４１ｄの凹部４７に係止される。
【００４９】
これによって、釣糸放出位置に振り分け保持された支持部材４１ｄに対して、振り分け保持ばね２８の一端部分２８ａの係止による保持力が付加される状態となり、支持部材４１ｄが釣糸放出位置に好適に保持される。
【００５０】
したがって、仕掛けを投擲すべく図示しない釣竿を振り下ろした際等に、瞬時に作用する慣性力によってハンドル４４が回転し、復帰機構の前記作用によって支持部材４１ｄが釣糸巻き取り位置に誤復帰しようとしても、その支持部材４１ｄの釣糸巻き取り位置への回動が前記係止によって付加された保持力によって好適に阻止されることとなり、支持部材４１ｄが釣糸放出位置に好適に保持されることとなる。
これによって、支持部材４１ｄが釣糸巻き取り位置に誤復帰することが好適に防止される。
【００５１】
なお、ハンドル４４を巻き取り方向に回動操作することによって復帰機構を作動させると、支持部材４１ｄの凹部４７に係止されていた振り分け保持ばね２８の一端部分２８ａが凹部４７から外部に脱し、振り分け保持ばね２８と凹部４７との係止状態が解除される。これによって、支持部材４１ｄが釣糸放出位置から振り分け境界位置（死点、デッドポイント）を越えて釣糸巻き取り位置側に振り分けられ、釣糸巻き取り位置に自動的に復帰されることとなる。
【００５２】
以上説明した本実施形態のスピニングリールによれば、支持部材４１ｄに、釣糸放出位置の振り分け保持ばね２８の一端部分２８ａが係脱可能に係止される凹部４７が設けられているので、支持部材４１ｄが釣糸放出位置に振り分けられて一端部分２８ａが凹部４７に係止されると、釣糸放出位置にある支持部材４１ｄに対して、これを釣糸放出位置に保持する力が付加されることとなり、振り分け保持ばね２８による付勢力と相俟って、クラッチ作動板２０は、釣糸放出位置に好適に保持される。
したがって、キャスティング操作時の釣竿をスイングさせる勢い等によって、不意にハンドル４４が回転することがあっても、支持部材４１ｄが釣糸巻き取り位置に誤復帰することを好適に防止することができる。
【００５３】
しかも、振り分け保持ばね２８の一端部分２８ａが凹部４７に係脱可能とされた構成であるので、従来のように変位を伴って付勢力に変化をもたせるときのような誤復帰を生じ難く、支持部材４１ｄを釣糸放出位置に好適に保持することができる。また、振り分け保持ばね２８の一端部分２８ａが凹部４７に係脱される構成であるので、切り換え操作時に従来のような遊動を生じることがなく、復帰操作に対応した鋭敏な操作感が得られ、復帰操作時の作動性がよい。
【００５４】
また、凹部４７に振り分け保持ばね２８の一端部分２８ａが係止するという簡単な構造であるので、支持腕４１ｂ内の狭いスペースにあっても容易にこれらの構成を採用することができる。支持部材４１ｄを釣糸放出位置に好適に保持することができる。また、例えば、凹部４７の深さを適宜設定することによって、振り分け保持ばね２８の一端部分２８ａと凹部４７との係止による保持力を容易に設定することができる。
【００５５】
なお、凹部４７は、支持腕４１ｂ側に設けてもよく、この凹部４７に釣糸放出位置の振り分け保持ばね２８の他端部分が係脱可能に係止されるように構成してもよい。
【図面の簡単な説明】
【００５６】
【図１】本発明の第１実施形態に係る魚釣用リールとしての両軸受けリールの全体構成を示す図である。
【図２】（ａ）はクラッチオン状態とされたときの様子を示す図、（ｂ）は図２（ａ）のｂ部分の拡大図、（ｃ）は図２（ｂ）を背面側から見た図、（ｄ）は図２（ｂ）のｄ−ｄ線に沿う断面図である。
【図３】（ａ）はクラッチオフ状態とされたときの様子を示す図、（ｂ）は図３（ａ）のｂ１部分の拡大図、（ｃ）は図３（ｂ）を背面側から見た図、（ｄ）は図３（ｂ）のｄ１−ｄ１線に沿う断面図である。
【図４】本実施形態に係る魚釣用リールとしての両軸受けリールの変形例を示す図であり、（ａ）はクラッチオン状態における振り分け保持ばねの様子を示す図、（ｂ）は図４（ａ）のｂ２−ｂ２線に沿う断面図、（ｃ）はクラッチオフ状態における振り分け保持ばねの様子を示す図、（ｄ）は図４（ｃ）のｂ３−ｂ３線に沿う断面図である。
【図５】本発明の第２実施形態に係る魚釣用リールとしてのスピニングリールの全体構成を示す図である。
【図６】（ａ）は釣糸巻き取り位置の支持腕の様子を示した断面図、（ｂ）は釣糸放出位置の支持腕の様子を示した断面図、（ｃ）は係止の様子を示す断面図である。
【符号の説明】
【００５７】
１      リール本体
２ｂ    右フレーム（基部材）
５      スプール軸
５ａ    スプール
７      ハンドル軸
７ａ    ハンドル
１０    駆動力伝達機構
１１    一方向クラッチ
１２    クラッチ機構
１４    ピニオン
２０    クラッチ作動板（切換手段、作動部材）
２０ａ  凹部（係止手段）
２０Ａ  支持孔
２１    操作レバー（操作部材）
２３    カム面
２８    振り分け保持ばね（付勢手段）
２８ａ  一端部分
２８Ａ  ボス
２８Ｂ  ボス
２８ａ  一端部分
２８ｂ  他端部分
３１    部材
３２    ラチェット
４０    リール本体
４１    ロータ
４１ｂ  支持腕（基部材）
４１ｄ  支持部材（切換手段）
４１ｅ  支持部材（切換手段）
４１ｆ  ベール（操作部材）
４１ｇ  釣糸案内部
４２    スプール
４４    ハンドル
４７    凹部（係止手段）
２０１  凹部（係止手段）
【図１】
2008245566.tif 000003
【図２】
2008245566.tif 000004
【図３】
2008245566.tif 000005
【図４】
2008245566.tif 000006
【図５】
2008245566.tif 000007
【図６】
2008245566.tif 000008